【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
Ｈｉｇｈ  Ｅｆｆｉｃｉｅｎｃｙ  Ｖｉｄｅｏ  Ｃｏｄｉｎｇ（ＨＥＶＣ）規格、またはＨＥＶＣ規格の拡張に従ってビデオデータを復号する方法であって、
マルチレイヤビットストリームのレイヤの１つまたは複数の非ビデオコーディングレイヤ（ＶＣＬ）ネットワーク抽象化レイヤ（ＮＡＬ）ユニットを復号することと、ここにおいて、前記１つまたは複数の非ＶＣＬ  ＮＡＬユニットは復号ピクチャハッシュＳＥＩメッセージを含む、
前記復号ピクチャハッシュＳＥＩメッセージを含む前記１つまたは複数の非ＶＣＬ  ＮＡＬユニットのレイヤ識別子、ｎｕｈ＿ｌａｙｅｒ＿ｉｄ、に基づいて、前記復号ピクチャハッシュＳＥＩメッセージが適用可能である前記マルチレイヤビットストリームのレイヤのセットを決定することとを備える、方法。
【請求項２】
Ｈｉｇｈ  Ｅｆｆｉｃｉｅｎｃｙ  Ｖｉｄｅｏ  Ｃｏｄｉｎｇ（ＨＥＶＣ）規格、またはＨＥＶＣ規格の拡張に従ってビデオデータを符号化する方法であって、
マルチレイヤビットストリームのレイヤの１つまたは複数の非ビデオコーディングレイヤ（ＶＣＬ）ネットワーク抽象化レイヤ（ＮＡＬ）ユニットを符号化することと、ここにおいて、前記１つまたは複数の非ＶＣＬ  ＮＡＬユニットは復号ピクチャハッシュＳＥＩメッセージを含む、
前記復号ピクチャハッシュＳＥＩメッセージを含む前記１つまたは複数の非ＶＣＬ  ＮＡＬユニットのレイヤ識別子、ｎｕｈ＿ｌａｙｅｒ＿ｉｄ、に基づいて、前記復号ピクチャハッシュＳＥＩメッセージが適用可能である前記マルチレイヤビットストリームのレイヤのセットを決定することとを備える、方法。
【請求項３】
前記１つまたは複数の非ＶＣＬ  ＮＡＬユニットの前記レイヤ識別子を示す１つまたは複数のシンタックス要素を復号することをさらに備え、レイヤの前記セットを決定することが、前記１つまたは複数のシンタックス要素に基づいてレイヤの前記セットを決定することを備える、請求項１に記載の方法、または、前記１つまたは複数の非ＶＣＬ  ＮＡＬユニットの前記レイヤ識別子を示す１つまたは複数のシンタックス要素を符号化することをさらに備え、レイヤの前記セットを決定することが、前記１つまたは複数のシンタックス要素に基づいてレイヤの前記セットを決定することを備える、請求項２に記載の方法。
【請求項４】
前記復号ピクチャハッシュＳＥＩメッセージを含む前記１つまたは複数の非ＶＣＬ  ＮＡＬユニットを復号することが、ネストされていないＳＥＩメッセージだけを復号することを備える、請求項１に記載の方法、または前記復号ピクチャハッシュＳＥＩメッセージを含む前記１つまたは複数の非ＶＣＬ  ＮＡＬユニットを符号化することが、ネストされていないＳＥＩメッセージだけを符号化することを備える、請求項１に記載の方法。
【請求項５】
レイヤの前記セットに含まれるレイヤのピクチャを復号または符号化することと、
前記復号ピクチャハッシュＳＥＩメッセージを使用して、誤りについて前記ピクチャを検査することとをさらに備える、請求項１または請求項２に記載の方法。
【請求項６】
前記マルチレイヤビットストリームの１つまたは複数の第２の非ＶＣＬ  ＮＡＬユニットを復号または符号化することと、ここにおいて、前記１つまたは複数の第２の非ＶＣＬ  ＮＡＬユニットは有効パラメータセットＳＥＩメッセージを含む、
前記有効パラメータセットＳＥＩメッセージを含む前記１つまたは複数の第２の非ＶＣＬ  ＮＡＬユニットに基づいて、前記有効パラメータセットＳＥＩメッセージが前記マルチレイヤビットストリームのすべてのレイヤに適用可能であると決定することとをさらに備える、請求項１または請求項２に記載の方法。
【請求項７】
前記有効パラメータセットＳＥＩメッセージを含む前記１つまたは複数の第２の非ＶＣＬ  ＮＡＬユニットを復号または符号化することが、ネストされていないＳＥＩメッセージだけをコーディングすることを備える、請求項６に記載の方法。
【請求項８】
フレームフィールド情報が前記マルチレイヤビットストリームのピクチャタイミングＳＥＩメッセージに存在することを示す１つまたは複数のシンタックス要素を復号または符号化することと、
前記ピクチャタイミングＳＥＩメッセージが適用されるすべての動作点の中のすべてのレイヤに前記フレームフィールド情報を適用することとをさらに備える、請求項１または請求項２に記載の方法。
【請求項９】
前記マルチレイヤビットストリームの前記決定されたセットレイヤを復号または符号化することと、
レイヤの前記決定されたセットが１つまたは複数の誤りを含むかどうかを決定するために、前記復号ピクチャハッシュメッセージを使用することとをさらに備える、請求項１または請求項２に記載の方法。
【請求項１０】
レイヤの前記決定されたセットを符号化することが、
予測データと実際のビデオデータとの差を示す、レイヤの前記決定されたセットのための残差データを生成することと、
前記残差データザジェネレート変換係数に変換を適用することと、
前記変換係数の指示を含むビットストリームを生成することとを備える、請求項２に従属する請求項９に記載の方法。
【請求項１１】
レイヤの前記決定されたセットを復号することが、
符号化されたビットストリームからレイヤの前記決定されたセットのための変換係数を取得することと、
残差データを生成するために逆変換を前記変換係数に適用することと、
前記生成された残差データに基づいて前記ビデオデータを決定することとを備える、請求項１に記載の方法。
【請求項１２】
ビデオデータをコーディングするための装置であって、
マルチレイヤビットストリームのレイヤの１つまたは複数の非ビデオコーディングレイヤ（ＶＣＬ）ネットワーク抽象化レイヤ（ＮＡＬ）ユニットをコーディングするための手段と、ここにおいて、前記１つまたは複数の非ＶＣＬ  ＮＡＬユニットは復号ピクチャハッシュＳＥＩメッセージを含む、
前記復号ピクチャハッシュＳＥＩメッセージを含む前記１つまたは複数の非ＶＣＬ  ＮＡＬユニットのレイヤ識別子に基づいて、前記復号ピクチャハッシュＳＥＩメッセージが適用可能である前記マルチレイヤビットストリームのレイヤのセットを決定するための手段とを備える、装置。
【請求項１３】
前記装置は、
集積回路、
マイクロプロセッサ、または
ワイヤレス通信デバイスの少なくとも１つを備える、請求項１２に記載の装置。
【請求項１４】
実行されると、１つまたは複数のプロセッサに、請求項１−１１のうちのいずれかの方法を実行させる、命令を記憶した非一時的コンピュータ可読媒体。
【手続補正２】
【補正対象書類名】明細書
【補正対象項目名】０１７７
【補正方法】変更
【補正の内容】
【０１７７】
[0183]様々な例が説明されてきた。これらおよび他の例は以下の特許請求の範囲内に入る。
以下に本願の出願当初の特許請求の範囲に記載された発明を付記する。
［Ｃ１］
ビデオデータをコーディングする方法であって、
マルチレイヤビットストリームのレイヤの１つまたは複数の非ビデオコーディングレイヤ（ＶＣＬ）ネットワーク抽象化レイヤ（ＮＡＬ）ユニットをコーディングすることと、ここにおいて、前記１つまたは複数の非ＶＣＬ  ＮＡＬユニットは復号ピクチャハッシュＳＥＩメッセージを含む、
前記復号ピクチャハッシュＳＥＩメッセージを含む前記１つまたは複数の非ＶＣＬ  ＮＡＬユニットのレイヤ識別子に基づいて、前記復号ピクチャハッシュＳＥＩメッセージが適用可能である前記マルチレイヤビットストリームのレイヤのセットを決定することとを備える、方法。
［Ｃ２］
前記１つまたは複数の非ＶＣＬ  ＮＡＬユニットの前記レイヤ識別子を示す１つまたは複数のシンタックス要素をコーディングすることをさらに備え、レイヤの前記セットを決定することが、前記１つまたは複数のシンタックス要素に基づいてレイヤの前記セットを決定することを備える、Ｃ１に記載の方法。
［Ｃ３］
前記復号ピクチャハズＳＥＩメッセージを含む前記１つまたは複数の非ＶＣＬ  ＮＡＬユニットをコーディングすることが、ネストされていないＳＥＩメッセージだけをコーディングすることを備える、Ｃ１に記載の方法。
［Ｃ４］
レイヤの前記セットに含まれるレイヤのピクチャをコーディングすることと、
前記復号ピクチャハッシュＳＥＩメッセージを使用して、誤りについて前記ピクチャを検査することとをさらに備える、Ｃ１に記載の方法。
［Ｃ５］
前記マルチレイヤビットストリームの１つまたは複数の第２の非ＶＣＬ  ＮＡＬユニットをコーディングすることと、ここにおいて、前記１つまたは複数の第２の非ＶＣＬ  ＮＡＬユニットは有効パラメータセットＳＥＩメッセージを含む、
前記有効パラメータセットＳＥＩメッセージを含む前記１つまたは複数の第２の非ＶＣＬ  ＮＡＬユニットに基づいて、前記有効パラメータセットＳＥＩメッセージが前記マルチレイヤビットストリームのすべてのレイヤに適用可能であると決定することとをさらに備える、Ｃ１に記載の方法。
［Ｃ６］
前記有効パラメータセットＳＥＩメッセージを含む前記１つまたは複数の第２の非ＶＣＬ  ＮＡＬユニットをコーディングすることが、ネストされていないＳＥＩメッセージだけをコーディングすることを備える、Ｃ５に記載の方法。
［Ｃ７］
フレームフィールド情報が前記マルチレイヤビットストリームのピクチャタイミングＳＥＩメッセージに存在することを示す１つまたは複数のシンタックス要素をコーディングすることと、
前記ピクチャタイミングＳＥＩメッセージが適用されるすべての動作点の中のすべてのレイヤに前記フレームフィールド情報を適用することとをさらに備える、Ｃ１に記載の方法。
［Ｃ８］
前記マルチレイヤビットストリームの前記決定されたセットレイヤをコーディングすることと、
レイヤの前記決定されたセットが１つまたは複数の誤りを含むかどうかを決定するために、前記復号ピクチャハッシュメッセージを使用することとをさらに備える、Ｃ１に記載の方法。
［Ｃ９］
コーディングすることが符号化することを備え、レイヤの前記決定されたセットを符号化することが、
予測データと実際のビデオデータとの差を示す、レイヤの前記決定されたセットのための残差データを生成することと、
前記残差データザジェネレート変換係数に変換を適用することと、
前記変換係数の指示を含むビットストリームを生成することとを備える、Ｃ８に記載の方法。
［Ｃ１０］
コーディングすることが復号することを備え、レイヤの前記決定されたセットを復号することが、
符号化されたビットストリームからレイヤの前記決定されたセットのための変換係数を取得することと、
残差データを生成するために逆変換を前記変換係数に適用することと、
前記生成された残差データに基づいて前記ビデオデータを決定することとをさらに備える、Ｃ１に記載の方法。
［Ｃ１１］
ビデオデータをコーディングするためのデバイスであって、
マルチレイヤビットストリームの少なくとも一部分を記憶するように構成されるメモリと、
１つまたは複数のプロセッサとを備え、前記１つまたは複数のプロセッサが、
マルチレイヤビットストリームのレイヤの１つまたは複数の非ビデオコーディングレイヤ（ＶＣＬ）ネットワーク抽象化レイヤ（ＮＡＬ）ユニットをコーディングすることと、ここにおいて、前記１つまたは複数の非ＶＣＬ  ＮＡＬユニットは復号ピクチャハッシュＳＥＩメッセージを含む、
前記復号ピクチャハッシュＳＥＩメッセージを含む前記１つまたは複数の非ＶＣＬ  ＮＡＬユニットのレイヤ識別子に基づいて、前記復号ピクチャハッシュＳＥＩメッセージが適用可能である前記マルチレイヤビットストリームのレイヤのセットを決定することと
を行うように構成される、デバイス。
［Ｃ１２］
前記１つまたは複数のプロセッサがさらに、前記１つまたは複数の非ＶＣＬ  ＮＡＬユニットの前記レイヤ識別子を示す１つまたは複数のシンタックス要素をコーディングするように構成され、レイヤの前記セットを決定するために、前記１つまたは複数のプロセッサが、前記１つまたは複数のシンタックス要素に基づいてレイヤの前記セットを決定するように構成される、Ｃ１１に記載のデバイス。
［Ｃ１３］
前記復号ピクチャハズＳＥＩメッセージを含む前記１つまたは複数の非ＶＣＬ  ＮＡＬユニットをコーディングするために、前記１つまたは複数のプロセッサが、ネストされていないＳＥＩメッセージだけをコーディングするように構成される、Ｃ１１に記載のデバイス。
［Ｃ１４］
前記１つまたは複数のプロセッサがさらに、
レイヤの前記セットに含まれるレイヤのピクチャをコーディングし、
前記復号ピクチャハッシュＳＥＩメッセージを使用して、誤りについて前記ピクチャを検査するように構成される、Ｃ１１に記載のデバイス。
［Ｃ１５］
前記１つまたは複数のプロセッサがさらに、
前記マルチレイヤビットストリームの１つまたは複数の第２の非ＶＣＬ  ＮＡＬユニットをコーディングすることと、ここにおいて、前記１つまたは複数の第２の非ＶＣＬ  ＮＡＬユニットは有効パラメータセットＳＥＩメッセージを含む、
前記有効パラメータセットＳＥＩメッセージを含む前記１つまたは複数の第２の非ＶＣＬ  ＮＡＬユニットに基づいて、前記有効パラメータセットＳＥＩメッセージが前記マルチレイヤビットストリームのすべてのレイヤに適用可能であると決定することとを行うように構成される、Ｃ１１に記載のデバイス。
［Ｃ１６］
前記有効パラメータセットＳＥＩメッセージを含む前記１つまたは複数の第２の非ＶＣＬ  ＮＡＬユニットをコーディングするために、前記１つまたは複数のプロセッサが、ネストされていないＳＥＩメッセージだけをコーディングするように構成される、Ｃ１５に記載のデバイス。
［Ｃ１７］
前記１つまたは複数のプロセッサがさらに、
フレームフィールド情報が前記マルチレイヤビットストリームのピクチャタイミングＳＥＩメッセージに存在することを示す１つまたは複数のシンタックス要素をコーディングし、
前記ピクチャタイミングＳＥＩメッセージが適用されるすべての動作点の中のすべてのレイヤに前記フレームフィールド情報を適用するように構成される、Ｃ１１に記載のデバイス。
［Ｃ１８］
前記１つまたは複数のプロセッサがさらに、
前記マルチレイヤビットストリームの前記決定されたセットレイヤをコーディングし、
レイヤの前記決定されたセットが１つまたは複数の誤りを含むかどうかを決定するために、前記復号ピクチャハッシュメッセージを使用するように構成される、Ｃ１１に記載のデバイス。
［Ｃ１９］
コーディングすることが符号化することを備え、レイヤの前記決定されたセットを符号化するために、前記１つまたは複数のプロセッサが、
予測データと実際のビデオデータとの差を示す、レイヤの前記決定されたセットのための残差データを生成し、
前記残差データザジェネレート変換係数に変換を適用し、
前記変換係数の指示を含むビットストリームを生成するように構成される、Ｃ１８に記載のデバイス。
［Ｃ２０］
コーディングすることが復号することを備え、レイヤの前記決定されたセットを復号するために、前記１つまたは複数のプロセッサが、
符号化されたビットストリームからレイヤの前記決定されたセットのための変換係数を取得し、
残差データを生成するために逆変換を前記変換係数に適用し、
前記生成された残差データに基づいて前記ビデオデータを決定するように構成される、Ｃ１１に記載のデバイス。
［Ｃ２１］
集積回路、
マイクロプロセッサ、または
ワイヤレス通信デバイスの少なくとも１つを備える、Ｃ１１に記載のデバイス。
［Ｃ２２］
ビデオデータをコーディングするための装置であって、
マルチレイヤビットストリームのレイヤの１つまたは複数の非ビデオコーディングレイヤ（ＶＣＬ）ネットワーク抽象化レイヤ（ＮＡＬ）ユニットをコーディングするための手段と、ここにおいて、前記１つまたは複数の非ＶＣＬ  ＮＡＬユニットは復号ピクチャハッシュＳＥＩメッセージを含む、
前記復号ピクチャハッシュＳＥＩメッセージを含む前記１つまたは複数の非ＶＣＬ  ＮＡＬユニットのレイヤ識別子に基づいて、前記復号ピクチャハッシュＳＥＩメッセージが適用可能である前記マルチレイヤビットストリームのレイヤのセットを決定するための手段とを備える、装置。
［Ｃ２３］
前記１つまたは複数の非ＶＣＬ  ＮＡＬユニットの前記レイヤ識別子を示す１つまたは複数のシンタックス要素をコーディングするための手段をさらに備え、レイヤの前記セットを決定するための前記手段が、前記１つまたは複数のシンタックス要素に基づいてレイヤの前記セットを決定するための手段を備える、Ｃ２２に記載の装置。
［Ｃ２４］
前記復号ピクチャハズＳＥＩメッセージを含む前記１つまたは複数の非ＶＣＬ  ＮＡＬユニットをコーディングするための前記手段が、ネストされていないＳＥＩメッセージだけをコーディングするための手段を備える、Ｃ２２に記載の装置。
［Ｃ２５］
レイヤの前記セットに含まれるレイヤのピクチャをコーディングするための手段と、
前記復号ピクチャハッシュＳＥＩメッセージを使用して、誤りについて前記ピクチャを検査するための手段とをさらに備える、Ｃ２２に記載の装置。
［Ｃ２６］
実行されると、１つまたは複数のプロセッサに、
マルチレイヤビットストリームのレイヤの１つまたは複数の非ビデオコーディングレイヤ（ＶＣＬ）ネットワーク抽象化レイヤ（ＮＡＬ）ユニットをコーディングすることと、ここにおいて、前記１つまたは複数の非ＶＣＬ  ＮＡＬユニットは復号ピクチャハッシュＳＥＩメッセージを含む、
前記復号ピクチャハッシュＳＥＩメッセージを含む前記１つまたは複数の非ＶＣＬ  ＮＡＬユニットのレイヤ識別子に基づいて、前記復号ピクチャハッシュＳＥＩメッセージが適用可能である前記マルチレイヤビットストリームのレイヤのセットを決定することと
を行わせる、命令を記憶した非一時的コンピュータ可読媒体。
［Ｃ２７］
前記命令がさらに、前記１つまたは複数のプロセッサに、前記１つまたは複数の非ＶＣＬ  ＮＡＬユニットの前記レイヤ識別子を示す１つまたは複数のシンタックス要素をコーディングさせ、レイヤの前記セットを決定するために、前記命令が、前記１つまたは複数のプロセッサに、前記１つまたは複数のシンタックス要素に基づいてレイヤの前記セットを決定させる、Ｃ２６に記載の非一時的コンピュータ可読媒体。
［Ｃ２８］
前記復号ピクチャハズＳＥＩメッセージを含む前記１つまたは複数の非ＶＣＬ  ＮＡＬユニットをコーディングするために、前記命令が、前記１つまたは複数のプロセッサに、ネストされていないＳＥＩメッセージだけをコーディングさせる、Ｃ２６に記載の非一時的コンピュータ可読媒体。
［Ｃ２９］
前記命令がさらに、前記１つまたは複数のプロセッサに、
レイヤの前記セットに含まれるレイヤのピクチャをコーディングさせ、
前記復号ピクチャハッシュＳＥＩメッセージを使用して、誤りについて前記ピクチャを検査させる、Ｃ２６に記載の非一時的コンピュータ可読媒体。